(57)【要約】【課題】  面格子を窓サッシの室内側に設置することにより、面格子が窓の室外側に突出することがないようにするとともに、窓部の外観の美観を保つことができ、かつ操作が簡単で安全なロック装置を備えた開閉式の面格子を提供する。【解決手段】  窓サッシの室内側に設置される開閉式の面格子２０であって、面格子の閉時に格子部材の収納部側への移動を阻止するロック装置Ｒは、第１の突出部６５Ｂと、第２の突出部６５Ａとを有するロック部材６１と、このロック部材の格子部材の移動阻止時に、ロック部材に係合してロック部材の回動を阻止するストッパ６７と、このストッパとロック部材との係合を解除した際に、ロック部材の回動を阻止し、かつ、先端の格子部材の目隠し部と反対側への移動動作によりロック部材の回動阻止を解除する安全ストッパ１１１とを備えている。【選択図】      図１４
2005273347.tif 000002
【特許請求の範囲】
【請求項１】
建築物の開口部の窓サッシの室内側に設置される開閉式の面格子であって、
窓サッシの室内側に互いに対向して配置された一対のガイドレールと、これらのガイドレールに沿って移動自在に設けられた複数個の格子部材と、隣り合う格子部材どうしを連結する連結部材と、前記建築物の前記開口部の一辺に沿って設けられ、前記格子部材の全部または一部を収納可能な目隠し部と、面格子の閉時に前記格子部材の前記目隠し部側への移動を阻止するロック装置とを備え、
前記ロック装置は、
前記ガイドレールに回動自在に設けられ、かつ、面格子の閉動作時に先端の格子部材の移動により該格子部材に押されてロック部材を回動させる第１の突出部と、このロック部材の回動に伴って該格子部材の目隠し部側に位置して該格子部材の目隠し部側への移動を阻止する第２の突出部とを有するロック部材と、
このロック部材の前記格子部材の移動阻止時に、該ロック部材に係合して該ロック部材の回動を阻止するストッパと、
このストッパと前記ロック部材との係合を解除した際に、前記ロック部材の回動を阻止し、かつ、前記先端の格子部材の前記目隠し部と反対側への移動動作により前記ロック部材の回動阻止を解除する安全ストッパとを備えていることを特徴とする面格子。
【請求項２】
前記ストッパは前記ガイドレールに回動自在に設けられるとともに、このストッパと前記ロック部材との間に付勢部材が設けられ、かつ、面格子の閉動作時に前記ロック部材はこの付勢部材の付勢力に抗して回動するとともに、この付勢部材の付勢力により前記ロック部材と前記ストッパとの係合部が係合することを特徴とする請求項１に記載の面格子。
【請求項３】
鍵を回すことにより前記付勢部材の付勢力に抗して前記ストッパを回動させて、該ストッパと前記ロック部材との係合を解除する係合解除部材が設けられていることを特徴とする請求項２に記載の面格子。
【発明の詳細な説明】
【技術分野】
【０００１】
本発明は、窓サッシの室内側に設置される開閉式の面格子に関する。
【背景技術】
【０００２】
面格子は、人が室外から室内に侵入するの防止する防犯を目的として設けられるものであって、通常、窓サッシの室外側に設けられる。
この面格子には、面格子が視界を遮って開放感を得られないのを回避すること、あるいは火災時等の非常時に室外に出ることなどのために、面格子を開放することができるようにした開閉式のものがある。このような開閉式の面格子として、従来、例えば、特許文献１に記載のものが知られている。この面格子は、窓開口の室外側に互いに対向して配置された一対のガイドレールと、これらのガイドレールに走行自在に取り付けられた複数の格子部材と、これらの格子部材のうち、隣り合う格子部材どうしを回動自在に連結した連結部材と、ガイドレールの一端に隣接して配置され、ガイドレールから外れた格子部材を折り畳んで収納可能な収納部とを備えている。
【０００３】
【特許文献１】特開平８−１８９２６５号公報
【発明の開示】
【発明が解決しようとする課題】
【０００４】
しかしながら、このような従来の開閉式の面格子にあっては、窓の室外側に設置され、窓から室外側に突出しているので、窓の室外側空間の使用が制限されるとともに、窓部の外観の美観を損ねるという問題がある。また、縦すべり出し窓等で室外側に開く形態の窓には付けられないという問題もある。
また、面格子には防犯上、ロック装置が要求されるが、このロック装置は操作が簡単であることが望ましく、さらには安全に操作できることが望ましい。
【０００５】
本発明は、前記事情に鑑みて為されたもので、面格子を窓サッシの室内側に設置することにより、面格子が窓の室外側に突出することがないようにするとともに、窓部の外観の美観を保つことができ、かつ操作が簡単で安全なロック装置を備えた開閉式の面格子を提供することを目的とする。
【課題を解決するための手段】
【０００６】
前記目的を達成するために、請求項１に記載の面格子は、建築物の開口部の窓サッシの室内側に設置される開閉式の面格子であって、
窓サッシの室内側に互いに対向して配置された一対のガイドレールと、これらのガイドレールに沿って移動自在に設けられた複数個の格子部材と、隣り合う格子部材どうしを連結する連結部材と、前記建築物の前記開口部の一辺に沿って設けられ、前記格子部材の全部または一部を収納可能な目隠し部と、面格子の閉時に前記格子部材の前記目隠し部側への移動を阻止するロック装置とを備え、
前記ロック装置は、
前記ガイドレールに回動自在に設けられ、かつ、面格子の閉動作時に先端の格子部材の移動により該格子部材に押されてロック部材を回動させる第１の突出部と、このロック部材の回動に伴って該格子部材の目隠し部側に位置して該格子部材の目隠し部側への移動を阻止する第２の突出部とを有するロック部材と、
このロック部材の前記格子部材の移動阻止時に、該ロック部材に係合して該ロック部材の回動を阻止するストッパと、
このストッパと前記ロック部材との係合を解除した際に、前記ロック部材の回動を阻止し、かつ、前記先端の格子部材の前記目隠し部と反対側への移動動作により前記ロック部材の回動阻止を解除する安全ストッパとを備えていることを特徴とする。
【０００７】
請求項１に記載の発明においては、面格子が閉まるとき、すなわち格子部材がガイドレールに沿って目隠し部から離れる方向に移動し、先端の格子部材がロック部材の第１の突出部を押すと、ロック部材が回動し、このロック部材の回動に伴って先端の格子部材の目隠し部側にロック部材の第２の突出部が位置し、これにより先端の格子部材の目隠し部側への移動が阻止される。このとき、ロック部材にはストッパが係合されて、ロック部材が回動するのを阻止される。
そして、ストッパとロック部材との係合を解除しても、安全ストッパがロック部材の回動を阻止するので、格子部材はロック部材により依然として拘束されており、ばね等を用いた格子の開動作補助部材などにより、直ちに格子部材が移動することがない。作業者が先端の格子部材を目隠し部と反対側への移動させることにより、安全ストッパのロック部材の回動阻止が解除され、その後面格子を開くことができる。
【０００８】
請求項２に記載の面格子は、請求項１に記載の発明において、前記ストッパは前記ガイドレールに回動自在に設けられるとともに、このストッパと前記ロック部材との間に付勢部材が設けられ、かつ、面格子の閉動作時に前記ロック部材はこの付勢部材の付勢力に抗して回動するとともに、この付勢部材の付勢力により前記ロック部材と前記ストッパとの係合部が係合することを特徴とする。
【０００９】
請求項２に記載の発明においては、面格子が閉まるとき、すなわち格子部材がガイドレールに沿って目隠し部から離れる方向に移動し、先端の格子部材がロック部材の第１の突出部を押すと、ロック部材とストッパとの間に設けられた付勢部材の付勢力に抗して、ロック部材が回動し、このロック部材の回動に伴って先端の格子部材の目隠し部側にロック部材の第２の突出部が位置し、これにより先端の格子部材の目隠し部側への移動が阻止される。さらに、このロック部材の格子部材の移動阻止時に、ロック部材とストッパとの係合部が付勢部材の付勢力により係合され、ロック部材が回動するのを阻止される。
【００１０】
請求項３に記載の面格子は、請求項２に記載の発明において、鍵を回すことにより前記付勢部材の付勢力に抗して前記ストッパを回動させて、該ストッパと前記ロック部材との係合を解除する係合解除部材が設けられていることを特徴とする。
【００１１】
請求項３に記載の発明においては、係合解除部材の鍵がないと、ストッパとロック部材との係合を解除することができず、したがって面格子を開くことができない。
【発明の効果】
【００１２】
請求項１に記載の面格子によれば、面格子を窓サッシの室内側に設置したので、面格子が窓の室外側に突出することがないとともに、窓部の外観の美観を保つことができる。さらに、面格子を閉にするために、格子部材をガイドレールに沿って収納部から離れる方向に移動させると、先端の格子部材がロック部材の第１の突出部を押して、先端の格子部材が収納部側への移動するのを阻止された状態、すなわち面格子がロック状態になるので、面格子のロック操作を簡単に行うことができる。さらに、ストッパとロック部材との係合を解除しても、安全ストッパにより直ちに格子部材が移動することがないので安全であるとともに、作業者が先端の格子部材を目隠し部と反対側への移動させるだけで、安全ストッパのロック部材の回動阻止を解除でき、面格子を開くことができるので、操作が簡単である。
【００１３】
請求項２に記載の面格子によれば、請求項１に記載の発明と同様の効果を得ることができるのは勿論のこと、面格子を閉にするために、格子部材をガイドレールに沿って収納部から離れる方向に移動させると、先端の格子部材がロック部材の第１の突出部を押して、先端の格子部材が収納部側への移動するのを阻止された状態、すなわち面格子がロック状態になるので、面格子のロック操作を簡単に行うことができる。また、このロック部材の前記格子部材の移動阻止時に、付勢部材の付勢力によりロック部材とストッパとの係合部を係合するので、面格子のロック操作をより簡単に行うことができるとともに、ロック状態をより強固にすることができる。
【００１４】
請求項３に記載の面格子によれば、請求項２に記載の発明と同様の効果を得ることができるのは勿論のこと、係合解除部材の鍵がないと、ストッパとロック部材との係合を解除することができず、面格子を開くことができないので、防犯上より有利になる。
【発明を実施するための最良の形態】
【００１５】
以下、本発明の実施の形態を図面を参照しながら説明する。
図１ないし図１１は、本発明の実施の形態を示す図である。図１および図２は面格子を含む建築物の開口部を示す図であって、図１は縦断面図であり、図２は横断面図である。図３および図４は、面格子の隣接するパイプとこれらを連結するためのワイヤの部分を説明するための図であって、図３はパイプの間が離れた状態を示す正面図であり、図４はパイプの間が接近して密着した状態を示す正面図である。図５および図６は巻き取り部材とパイプとを示す図であって、図５は正面図であり、図６は側面図である。図７および図８は巻き取り部材を示す図であって、図７は正面図であり、図８は分解図である。図９ないし図１１はロック装置および閉塞部材を示す図であって、図９（ａ）はロック装置が作動する直前の状態を示す側面図、図９（ｂ）は平面図であり、図１０（ａ）はロック装置が作動している途中の状態を示す側面図、図１０（ｂ）は平面図であり、図１１（ａ）はロック装置が作動した状態を示す側面図、図１１（ｂ）は図１１（ａ）のＸ−Ｘ線に添う断面図である。
【００１６】
図１および図２において、符号１は、建築物の開口部Ｋの室外側に設置された縦すべり出し窓サッシ（窓サッシ）である。この縦すべり出し窓サッシ１は、上枠２および下枠３および左右の縦枠４、４からなる方形状の枠体５に、縦すべり出しで開閉する障子６が取り付けられて構成されている。上枠２、下枠３および縦枠４はそれぞれ、長尺のアルミニウム合金製の押出形材からなり、ねじ（図示せず）により互いに結合されて、躯体１１に釘１２およびねじ１３により固定されている。枠体５の室内側には、上下方向に開閉する上げ下げ式の網戸７が取り付けられている。
【００１７】
建築物の開口部Ｋには、縦すべり出し窓サッシ１の室内側に、面格子２０が次のようにして設置されている。
すなわち、左右の額縁Ｇに沿って、一対のガイドレール２１、２１が互いに対向して配置され、ねじ２２により躯体に固定されている。各ガイドレール２１、２１の各案内溝２３、２３に案内されて、上下方向に間隔をおいて連設された複数個のパイプ（格子部材）３２が上下方向に移動自在に設けられている。
【００１８】
各パイプ３２の両端部にはそれぞれ、各案内溝２３、２３内に挿入される挿入部３３、３３が設けられている。挿入部３３のパイプ３２側には、室内外方向に窪んでいる首部３４が形成され、案内溝２３の狭く絞られている狭窄部２４に、この首部３４が挿入されており、これにより狭窄部２４によって首部３４が左右方向および室内外方向の移動を規制されつつ、パイプ３２が上下方向に移動するようになっている。
【００１９】
図３および図４に示すように、各パイプ３２の各挿入部３３と隣接する上側の挿入部３３との間、および隣接する下側の挿入部３３との間にはそれぞれ、隣接するパイプ３２を連結するためのワイヤ（連結部材）３６、３６が設けられている。すなわち、各ワイヤ３６は、その上端部が互いに隣接する挿入部３３、３３のうちの上側の挿入部３３に固定されているとともに、下側の挿入部３３に設けられた孔に挿入され、下側の挿入部３３が下降していって、ワイヤ３６の下端部にきたときに、ワイヤ３６の下端部に設けられた拡径の係止部３７に下側の挿入部３３が係止されて、下側の挿入部３３がそれ以上下降しないようになっている。これにより、図３に示すように、下側の挿入部３３と上側の挿入部３３との間の間隔を一定に保持するとともに、図４に示すように、下側の挿入部３３が上側の挿入部３３に接近するときには、ワイヤ３６に規制されることなく自由に下側の挿入部３３が上昇できるようになっている。つまり、隣接するパイプ３２、３２の間の間隔を一定に保持するとともに、ワイヤ３６に規制されることなく自由に下側のパイプ３２が上昇して上側のパイプ３２に接近できるようになっている。
【００２０】
図５に示すように、最も下側のパイプ３２の両端部の挿入部３３Ａ、３３Ａは、その他の挿入部３３よりも外側（パイプ３２と反対側）に長く延びており、その先端部には、このパイプ３２を持ち上げるためのワイヤ４８の一端部（下端部）が固定される取付部３８が設けられている。
【００２１】
図１に示すように、両ガイドレール２１、２１の上部には、ボックス（目隠し部）４１が配置され、上側の躯体に固定されている。このボックス４１内には、パイプ３２を巻き取る円筒状の巻き取り部材４２が回転自在に設けられている。すなわち、図５ないし図８に示すように、ボックス４１の左右の側板の間に、軸４３が左右方向に延びるように固定されており、この軸４３の両端部の外側にそれぞれ、２段筒状の筒部材４４、４４が回転自在に嵌合され、各回転部材４４、４４の各大径部の外側にそれぞれ、円筒状の巻き取り部材４２の各端部が挿入され、ねじにより固定されている。巻き取り部材４２と軸４３との間にはねじりコイルばね（付勢部材）４６が設けられており、このねじりコイルばね４６は、パイプ３２が繰り出された際に弾性変形し、これにより巻き取り部材４２がパイプ３２を巻き取る方向に付勢して、巻き取り部材４２を巻き取り方向に回転させるものである。
【００２２】
各筒部材４４の小径部の外側には、外側に向かって次第に小径となるかさ車４７がねじにより固定されている。各かさ車４７には、パイプ３２を引き上げるためのワイヤ（引き寄せ部材）４８が巻回される溝が螺旋状に形成されている。ワイヤ４８の一端部（上端部）は、かさ車４７の大径側に固定されている一方、前述したように、他端部（下端部）は、最も下側のパイプ３２の取付部３８に固定されており、この最も下側のパイプ３２をワイヤ４８により引き上げることにより、全てのパイプ３２を一緒に引き上げるようになっている。
【００２３】
ボックス４１には、各筒部材４４の外側に、巻き取りガイド５１が固定されており、各巻き取りガイド５１により巻き取り部材４２に巻き取られる各パイプ３２がガイドされて、巻き取り部材４２の外周に整然と巻き取られる。基端のパイプ３２、すなわち一番最初に巻き取られるパイプ３２の首部３４には、ねじりコイルばね（付勢部材）５３の鉤状の一端部が係止されており、このねじりコイルばね５３の他端部はボックス４１に係止されている。このねじりコイルばね５３は、このパイプ３２が巻き取り部材４２に巻き取られた際に弾性変形し、これにより巻き取り部材４２から繰り出されて行く方向にこのパイプ３２を付勢するものであって、パイプ３２の繰り出しを容易にするために設けられている。
【００２４】
面格子２０を閉めるために、先端のパイプ３２、すなわち最も下側のパイプ３２を下降させて行くと、巻き取り部材４２が回転し、各パイプ３２が順次巻き取り部材４２から繰り出される。このとき、隣接する上下のパイプ３２、３２の挿入部３３、３３の間に設けられたワイヤ３６により、隣接する上下のパイプ３２、３２の間の間隔を所定の間隔に広げながら、各パイプ３２が順次巻き取り部材４２から繰り出されて行く。また、パイプ３２を引き上げるためのワイヤ４８がかさ車４７から繰り出される。また、巻き取り部材４２がパイプ３２の繰り出し方向に回転するのに伴って、ねじりコイルばね４６が弾性変形し、巻き取り部材４２がパイプ３２の巻き取り方向に付勢される。
【００２５】
一方、面格子２０が開くとき、すなわちねじりコイルばね４６により巻き取り部材４２がパイプ３２の巻き取り方向に回転すると、ワイヤ４８がかさ車４７に巻き取られて行き、これにより最も下側のパイプ３２が上昇して行く。最も下側のパイプ３２が上昇して行くと、隣接する上下のパイプ３２、３２の挿入部３３、３３の間に設けられたワイヤ３６は、下側のパイプ３２が上昇して上側のパイプ３２に接近するのを規制していないので、最も下側のパイプ３２から順次その上側のパイプ３２に接近して行って、最も下側のパイプ３２の上に下側のパイプ３２から順次重ねられて密着し、各パイプ３２が巻き取り部材４２に巻き取られて行く。
【００２６】
かさ車４７は、外側に向かって次第に小径となるように形成され、ワイヤ４８は大径の部分から次第に小径の部分の溝によって巻き取られるようになっており、最初は巻き取る荷重が小さいので大径の部分を用いて巻き取り量を大きくし、その後次第に荷重が大きくなるので次第に小径の部分で巻き取るようになっている。
【００２７】
次に、この面格子２０のロック装置Ｒを説明する。
図９ないし図１１に示すように、各ガイドレール２１の下端部にはそれぞれ、板状のロック部材（回動部材）６１が設けられている。このロック部材６１は、ガイドレール２１の案内溝２３と直交するガイドレール２１内の壁２５にねじ６２により固定された取付板６３に、ピン６４により回動可能に取り付けられている。ロック部材６１の先端部分には、一対の第２の突出部６５Ａおよび第１の突出部６５Ｂが形成されており、これらの第２の突出部６５Ａと第１の突出部６５Ｂとの間の凹部６６の開口幅は、パイプ３２の外径よりも少し大きく設定されている。
ロック部材６１の下側には、ストッパ６７が取付板６３にピン６８により回動可能に取り付けられている。ストッパ６７の上端部分は山形に形成されている。ストッパ６７とロック部材６１との間には、引っ張りコイルばね（付勢部材）６９が設けられており、この引っ張りコイルばね６９により、ストッパ６７とロック部材６１とは案内溝２３と反対側が互いに接近するように付勢されている。
【００２８】
面格子２０が開いているときには、図９に示すように、ロック部材６１は、引っ張りコイルばね６９により付勢されて、第２の突出部６５Ａ、第１の突出部６５Ｂを上側にして斜めに位置し、下側の第１の突出部６５Ｂが案内溝２３に突き出している。一方、ストッパ６７は、斜め状態で、山形の頂部７１がロック部材６１の後端面の端部に当接している。
面格子２０を閉めるために、最も下側のパイプ３２が下降してくると、ロック部材６１の下側の第１の突出部６５Ｂを押して、引っ張りコイルばね６９の付勢力に抗して、ロック部材６１を案内溝２３側（同図において時計方向）にピン６４を中心に回動させる。このとき、ストッパ６７は、ロック部材６１の回動に伴って、ロック部材６１の後端面により案内溝２３と反対側に回動されて、略起立状態になる（図１０参照）。
面格子２０の全閉時、つまり最も下側のパイプ３２が最も下まで下降したときには、図１１に示すように、ロック部材６１は第２の突出部６５Ａ、第１の突出部６５Ｂを下側にして斜めに位置し、上側の第２の突出部６５Ａが案内溝２３に突き出している。この上側の第２の突出部６５Ａにより、パイプ３２は上側に移動しようとするのを阻止されて、ロック状態になる。このとき、ストッパ６７の山形の頂部７１が、ロック部材６１の側面の凹部７２に係合されて、引っ張りコイルばね６９の付勢力により互いに係合され、これによりロック部材６１がこの状態で動かないようにされる。
【００２９】
図２および図１１に示すように、各ガイドレール２１の各ストッパ６７の近傍にはそれぞれ、鍵７４を用いる係合解除部材７５が取り付けられている。鍵７４を回すことにより、係合解除部材７５の押圧片７６がストッパ６７の下端部の略直角に折り曲げられた折曲部７８を、引っ張りコイルばね６９の付勢力に抗して下方に押すようになっており、これによりストッパ６７の頂部７１がロック部材６１の凹部７２から離れて係合が解除されるとともに、ロック部材６１が引っ張りコイルばね６９の付勢力によりストッパ６７の頂部７１とロック部材６１の凹部７２の係合位置からずれるように回動する。したがって、鍵７４を回すことによりロック部材６１が自由に回動できるようになる。鍵７４を１回回動させれば、上記係合を解除することができるので、鍵７４から手を離すと、ねじりコイルばね（付勢部材）７９により押圧片７６が押圧位置から元の位置に復帰するようになっている。
【００３０】
図９ないし図１１に示すように、ロック部材６１には、板状の閉塞部材８１がピン８２により回動自在に取り付けられている。この閉塞部材８１は、ロック部材６１がピン６４を中心にガイドレール２１の案内溝２３側（時計方向）に回動するにつれて、ピン８２がピン６４を中心に案内溝２３側（時計方向）に徐々に回動し、これにより閉塞部材８１が案内溝２３側に徐々に移動して行き、案内溝２３の開口部を塞ぐようになっている。
【００３１】
ガイドレール２１の上端部には、板状の連動部材８４が設けられている。この連動部材８４はほぼL字状に形成されており、その折曲部は、壁２５の上端部にねじ８５により固定された取付板８６に、ピン８７により回動可能に取り付けられている。連動部材８４の一方の端部には、閉塞部材８１の上端部がピン８８により回動自在に取り付けられ、一方他方の端部には、細長い板状の連結部材９１の上端部がピン９２により回動自在に取り付けられている。連結部材９１の下端部には、ロック部材６１がピン９４により回動自在に取り付けられている。これにより、ロック部材６１がピン６４を中心にガイドレール２１の案内溝２３側（時計方向）に回動すると、連結部材９１を介してこの回動運動が連動部材８４に伝えられて連動部材８４がピン８７を中心に案内溝２３側（時計方向）に回動し、この回動運動に伴って、閉塞部材８１の上端部が案内溝２３側に移動して行き、案内溝２３の開口部を塞ぐ。したがって、閉塞部材８１の下端部がロック部材６１により案内溝側に移動されるとともに、上端部が連動部材８４により移動されて、閉塞部材８１が案内溝２３の開口部全体を閉塞する。
【００３２】
閉塞部材８１の案内溝２３側の側部には、各パイプ３２に対応する位置にそれぞれ、凹部９６が形成されており、閉塞部材８１が案内溝２３を覆った際に、各凹部９６内に各パイプ３２が位置して、閉塞部材８１と各パイプ３２との干渉が回避されるようになっている。
【００３３】
このように構成された面格子２０においては、面格子２０を閉めるために、パイプ３２を巻き取り部材４２から繰り出して下降させて行くと、図９に示すように、最も下側のパイプ３２がロック部材６１の下側の第１の突出部６５Ｂを下側に押して、図１０に示すように、引っ張りコイルばね６９の付勢力に抗して、ロック部材６１をガイドレール２１の案内溝２３側（同図において時計方向）にピン６４を中心に回動させる。このとき、ストッパ６７は、ロック部材６１の回動に伴って、ロック部材６１の後端面により案内溝２３と反対側に回動されて、略起立状態になる。また、ロック部材６１の回動に伴って、ロック部材６１に取り付けられた閉塞部材８１の下端部がピン６４を中心に案内溝２３側に回動すると同時に、連動部材８４に取り付けられた閉塞部材８１の上端部がピン８７を中心に案内溝２３側に回動し、これにより閉塞部材８１が案内溝２３側に移動して行く。
【００３４】
最も下側のパイプ３２が最も下まで下降すると、図１１に示すように、ロック部材６１がさらに回動し、ロック部材６１が第２の突出部６５Ａ、第１の突出部６５Ｂを下側にして斜めに位置し、上側の第２の突出部６５Ａが案内溝２３に突き出した状態になり、この第２の突出部６５Ａにより、パイプ３２は上側に移動しようとするのを阻止されて、ロック状態になる。このとき、ストッパ６７の山形の頂部７１が、ロック部材６１の側面の凹部７２に係合されて、引っ張りコイルばね６９の付勢力により互いに係合され、ロック部材６１がこの状態で動かないようにされる。また、ロック部材６１の回動に伴い、閉塞部材８１が案内溝２３側に移動し、案内溝２３の開口部を閉塞する。
【００３５】
一方、面格子２０を開けるには、まず、鍵７４を回して、係合解除部材７５の押圧片７６でストッパ６７の折曲部７８を、引っ張りコイルばね６９の付勢力に抗して下方に押す。これにより、ストッパ６７の頂部７１がロック部材６１の凹部７２から離れて係合が解除されるとともに、ロック部材６１が引っ張りコイルばね６９の付勢力によりストッパ６７の頂部７１とロック部材６１の凹部７２の係合位置からずれるように回動し、ロック部材６１が自由に回動できるようになる。
【００３６】
ロック部材６１が自由に回動できるようになると、ねじりコイルばね４６により巻き取り部材４２がパイプ３２の巻き取り方向に回転し、ワイヤ４８がかさ車４７に巻き取られて行き、これにより最も下側のパイプ３２が上昇する。この最も下側のパイプ３２が上昇すると、ロック部材６１の上側の第２の突出部６５Ａが上側に押されて、ロック部材６１がガイドレール２１の案内溝２３と反対側（図１１において反時計方向）にピン６４を中心に回動する。このとき、ロック部材６１は、引っ張りコイルばね６９の付勢力によっても回動する力を付与されている。このロック部材６１の回動に伴って、閉塞部材８１ガイドレール２１の案内溝２３から離れるように移動し、案内溝２３の開口部が開放されるとともに、各パイプ３２が自由に上昇できるようになり、各パイプ３２が巻き取り部材４２に巻き取られて行く。
【００３７】
この面格子２０にあっては、面格子２０を窓サッシ１の室内側に設置したので、面格子が窓の室外側に突出することがなく、また窓部の外観の美観を保つことができる。
また、面格子２０の閉時にガイドレール２１の案内溝２３の開口部を閉塞する閉塞部材８１を設けたので、ガイドレール２１内のねじや格子部材３２を移動させる部材などを外したりすることができないため、室外側から窓サッシ１を開けられた場合にも、面格子２０を開けることを防止することができ、防犯上有効である。
【００３８】
また、面格子２０を閉にするために、ボックス４１内の巻き取り部材４２から格子部材３２を繰り出して、格子部材３２をガイドレール２１の案内溝２３に沿って下降させると、先端の格子部材３２がロック部材６１の第１の突出部６５Ｂを下側に押してロック部材を回動させ、このロック部材の回動に伴って、閉塞部材７１がガイドレール２１の案内溝２３側に移動して、案内溝の開口部を閉塞するので、閉塞部材８１の閉塞操作を簡単に行うことができる。
【００３９】
また、面格子２０の閉時に格子部材３２の目隠し部４１側への移動を阻止するロック装置Ｒと閉塞部材８１との連動機構として、図１２ないし図１４に示すような構成にすることができる。なお、図１２ないし図１４に示すように、ロック部材６１、ストッパ６７、鍵７４を用いる係合解除部材７５、閉塞部材８１等の構成は、図９ないし図１１示す構成と略同様であるので、同様の構成要素には同一符号を付してその説明を省略または簡略化する。
【００４０】
本実施の形態では、ロック部材６１と細長い板状の連動部材１０１とが、操作用のリンク片１０２により連結されている。連動部材１０１は、ガイドレール２１に設けられた上下方向に延びるガイド部に、上下移動可能に挿入されている。
この連動部材１０１と閉塞部材８１とは、上下２箇所においてそれぞれリンク片１０４、１０４により連結されている。この閉塞部材８１には、上下２箇所において水平に延びるガイド溝１０５、１０５が形成され、各ガイド溝１０５内にガイドレール２１側に設けられたピン１０６が挿入されており、これにより閉塞部材８１は水平移動するようになっている。
【００４１】
また、ロック部材６１には、板状の安全ストッパ１１１がピン１２１により回動自在に取り付けられている。この安全ストッパ１１１の一方の先端部には、ロック部材６１側に折曲された係止部１２３が形成され（図１５参照）、一方ロック部材６１にはめ窓部１２５が形成されている（図１６参照）。係止部１２３は、ロック部材６１の窓部１２５内に挿入され先端部がロック部材６１の反対側から突出している。安全ストッパ１１１の係止部１２３側の部分とロック部材６１の外周部との間には、引っ張りコイルばね（付勢部材）１２６が設けられている。この引っ張りコイルばね１２６により、安全ストッパ１１１は、図１２ないし図１４において反時計方向に付勢されており、これによりロック部材６１の窓部１２５の縁部に係止部１２３が当接するようになっている。このとき、安全ストッパ１１１の他方の先端部分がロック部材６１の凹部６６内に突出する。この凹部６６に突出している突出部分１２７を押圧すると、安全ストッパ１１１は、引っ張りコイルばね１２６の付勢力に抗してピン１２１を中心に時計方向に回動する。このとき、係止部１２３はロック部材６１の窓部１２５内を移動する。安全ストッパ１１１を付勢する引っ張りコイルばね１２６の付勢力は、ロック部材６１を付勢する引っ張りコイルばね６９の付勢力よりも小さく設定されている。また、この実施の形態では、凹部６６は、入り口がパイプ３２の外径よりも少し大きく、奥はこの入り口も広く設定されている。
【００４２】
安全ストッパ１１１の突出部分１２７がロック部材６１の凹部６６に突出している状態で、ロック部材６１がピン６４を中心に回動すると、ガイドレール２１に設けられた突起（係止部）１３１に、安全ストッパ１１１の係止部１２３が当接するようになっている（図１７参照）。係止部１２３が突起１３１に当接すると、係止部１２３がロック部材６１の窓部１２５内を横切っているので、係止部１２３に窓部１２５の縁部が当り、ロック部材６１が回動できなくなる。
一方、安全ストッパ１１１の突出部分１２７が押圧され、ロック部材６１の凹部６６から押し出されている状態では、係止部１２３とロック部材６１の回動中心であるピン６４との間の距離が短くなり、ロック部材６１がピン６４を中心に回動しても、突起１３１に安全ストッパ１１１の係止部１２３が当接せず、したがってロック部材６１は自由に回動することができる。
【００４３】
このようなロック装置Ｒを用いた面格子２０においては、面格子２０を閉めるために、パイプ３２を巻き取り部材４２から繰り出して下降させて行くと、図１２に示すように、最も下側のパイプ３２がロック部材６１の下側の第１の突出部６５Ｂを下側に押して、図１３に示すように、引っ張りコイルばね６９の付勢力に抗して、ロック部材６１をガイドレール２１の案内溝２３側（同図において時計方向）にピン６４を中心に回動させる。このとき、ロック部材６１のこの回動運動がリンク片１０２により連動部材１０１に伝えられ、連動部材１０１が上方に直線移動する。この連動部材１０１の上方への直線移動がリンク片１０４、１０４により閉塞部材８１に伝えられ、閉塞部材８１が案内溝２３側に水平移動して行く。
【００４４】
なお、パイプ３２がロック部材６１の第１の突出部６５Ｂを押して行くときに、凹部６６内に突出している安全ストッパ１１１の突出部分１２７を押圧し、これにより安全ストッパ１１１が引っ張りコイルばね１２６の付勢力に抗してピン１２１を中心に時計方向に回動し、凹部６６内から押し出されるとともに、係止部１２３がロック部材６１の窓部１２５内を移動し、係止部１２３とロック部材６１の回動中心であるピン６４との間の距離が短くなる。したがって、ロック部材６１がピン６４を中心に時計方向に回動しても、係止部１２３が突起１３１に当たることなく、突起１３１を越えて回動して行く。
【００４５】
最も下側のパイプ３２が最も下まで下降すると、図１４に示すように、ロック部材６１がさらに回動し、ロック部材６１が第２の突出部６５Ａ、第１の突出部６５Ｂを下側にして斜めに位置し、上側の第２の突出部６５Ａが案内溝２３に突き出した状態になり、この第２の突出部６５Ａにより、パイプ３２は上側に移動しようとするのを阻止されて、ロック状態になる。このとき、ストッパ６７の山形の頂部７１が、ロック部材６１の側面の凹部７２に係合されて、引っ張りコイルばね６９の付勢力により互いに係合され、ロック部材６１がこの状態で動かないようにされる。また、ロック部材６１の回動に伴い、閉塞部材８１が案内溝２３側に移動し、案内溝２３の開口部を閉塞する。
【００４６】
一方、面格子２０を開けるには、図１４に示す状態から、まず、鍵７４を回して、係合解除部材７５の押圧片でストッパ６７の折曲部を、引っ張りコイルばね６９の付勢力に抗して下方に押す。これにより、ストッパ６７の頂部７１がロック部材６１の凹部７２から離れて係合が解除されるとともに、ロック部材６１が引っ張りコイルばね６９の付勢力によりストッパ６７の頂部７１とロック部材６１の凹部７２の係合位置からずれるように回動し、ロック部材６１はストッパ６７の拘束から開放される。
【００４７】
しかし、このとき、パイプ３２がロック部材６１の凹部６６の第２の突出部６５Ａ側にあるので、安全ストッパ１１１の突出部分１２７がロック部材６１の凹部６６に突出しており、このため係止部１２３が突起１３１に当たり、ロック部材６１の回動が阻止される。これにより、鍵７４を回して、ストッパ６７のロック部材６１の係合を解除したときに、パイプ３２が直ちに上昇してしまうのを防止している。
【００４８】
この安全ストッパ１１１によるロック部材６１の回動阻止状態を解除するには、手動でパイプ３２を下方に少し押し下げる。このようにすると、パイプ３２がロック部材６１の凹部６６の第１の突出部６５Ｂ側に移動するので、安全ストッパ１１１の突出部分１２７が押圧され、ロック部材６１の凹部６６から押し出され、これにより係止部１２３がロック部材６１の窓部１２５内で移動し、係止部１２３とロック部材６１の回動中心であるピン６４との間の距離が短くなり、ロック部材６１がピン６４を中心に回動しても、突起１３１に安全ストッパ１１１の係止部１２３が当接せず、したがってロック部材６１は自由に回動することができるようになる。
【００４９】
その後、パイプから手を離すと、ねじりコイルばね（開動作助部材）４６の付勢力により、巻き取り部材４２がパイプ３２の巻き取り方向に回転し、ワイヤ４８がかさ車４７に巻き取られて行き、これにより最も下側のパイプ３２が上昇する。この最も下側のパイプ３２が上昇すると、ロック部材６１の上側の第２の突出部６５Ａが上側に押されて、ロック部材６１がガイドレール２１の案内溝２３と反対側（図１４において反時計方向）にピン６４を中心に回動する。このとき、ロック部材６１は、引っ張りコイルばね６９の付勢力によっても回動する力を付与されている。ロック部材６１のこの回動運動がリンク片１０２により連動部材１０１に伝えられ、連動部材１０１が下方に直線移動する。この連動部材１０１の下方への直線移動がリンク片１０４、１０４により閉塞部材８１に伝えられ、閉塞部材８１がガイドレール２１の案内溝２３と反対側に水平移動して行き、案内溝２３の開口部が開放され、各パイプ３２が自由に上昇できるようになり、各パイプ３２が巻き取り部材４２に巻き取られて行く。
【００５０】
このように構成された面格子２０にあっても、面格子２０を窓サッシ１の室内側に設置したので、面格子が窓の室外側に突出することがなく、また窓部の外観の美観を保つことができ、また、面格子２０の閉時にガイドレール２１の案内溝２３の開口部を閉塞する閉塞部材８１を設けたので、ガイドレール２１内のねじや格子部材３２を移動させる部材などを外したりすることができないため、室外側から窓サッシ１を開けられた場合にも、面格子２０を開けることを防止することができ、防犯上有効である。
【００５１】
また、面格子２０を閉にするために、ボックス４１内の巻き取り部材４２から格子部材３２を繰り出して、格子部材３２をガイドレール２１の案内溝２３に沿って下降させると、先端の格子部材３２がロック部材６１の第１の突出部６５Ｂを下側に押してロック部材を回動させ、このロック部材の回動に伴って、閉塞部材７１がガイドレール２１の案内溝２３側に移動して、案内溝の開口部を閉塞するので、閉塞部材８１の閉塞操作を簡単に行うことができる。
【００５２】
さらに、ストッパ６７とロック部材６１との係合を解除しても、安全ストッパ１１１がロック部材６１の回動を阻止するので、パイプ３２はロック部材６１で依然として拘束されているため、ねじりコイルばね４６の付勢力により直ちに格子部材が移動してしまうことがなく、安全であるとともに、作業者が格子部材３２を少し押し下げるだけで、安全ストッパ１１のロック部材６１の回動阻止を解除でき、面格子を開くことができるので、操作が簡単である。
【００５３】
なお、図９ないし図１１に示す面格子にも、図１２ないし図１７に示す安全ストッパ１１１、突起部１３１等を用いた安全装置を設けるようにしてもよい。
【００５４】
また、前述の実施の形態では、面格子２０を建築物の開口部Ｋ内に設置するようにしたが、図１８および図１９に示すように、面格子２０を室内の壁面に設置するようにしてもよい。このようにすると、開口部Ｋを狭めることがない利点がある。
【００５５】
また、前述の実施の形態では、目隠し部４１に格子部材３２を完全に収納するようにしたが、必ずしも格子部材３２の全部を収納する必要はなく、格子部材の一部を収納するものでもよい。また、目隠し部４１は箱状に形成されている必要がなく、格子部材が隠れるものであればよい。
【００５６】
また、前述の実施の形態では、格子部材３２を上下方向に移動させるようにしたが、これに限らず、横方向に移動させるようにしてもよい。さらには、開口部が斜めに形成されている場合には、この開口部の一辺に沿って目隠し部を設け、その目隠し部に向かって移動させるようにしてもよい。
【００５７】
また、格子部材は、例えば棒状の部材等を用いることができ、さらに軽量化のために筒状の部材を用いることもできる。格子部材の目隠し部への収納方法は、巻き取り部材に格子部材を巻き取るようにしてもよいし、あるいは各格子部材が順次密着されて収納するものでもよいし、あるいは折り畳んで収納するものでもよいし、その方法は問わない。また、目隠し部は、ガイドレールの一端に隣接して設けるようにしてもよいし、あるいはガイドレールの一端部分を目隠し部として用いるようにしてもよい。また、連結部材は、ワイヤ等の線状部材を用いることも、あるいは例えば板状の部材等を用いることもできる。また、連結部材は、隣り合う格子部材どうしを接近可能に連結するものでもよいし、あるいは単に連結するものでもよい。
【００５８】
また、前述の実施の形態では、巻き取り部材４２の巻き取り（開動作）を補助する開動作補助部材して、巻き取り部材４２と軸４３との間にねじりコイルばね（付勢部材）４６を設けたが、これに代えて、ぜんまいばね、あるいは定荷重ばねなどを用いてもよい。定荷重ばねを用いると、荷重をストロークによらずほぼ一定とすることができる。この定荷重ばねを２個用いるようにしてもよい。
【図面の簡単な説明】
【００５９】
【図１】本発明の実施の形態に係る面格子を含む建築物の開口部を示す図であって、縦断面図である。
【図２】同、横断面図である。
【図３】面格子の隣接するパイプとこれらを連結するためのワイヤの部分を説明するための図であって、パイプの間が離れた状態を示す正面図である。
【図４】同、パイプの間が接近して密着した状態を示す正面図である。
【図５】巻き取り部材とパイプとを示す図であって、正面図である。
【図６】同、側面図である。
【図７】巻き取り部材を示す図であって、正面図である。
【図８】同、分解図である。
【図９】ロック装置および閉塞部材を示す図であって、（ａ）はロック装置が作動する直前の状態を示す側面図であり、（ｂ）は平面図である。
【図１０】同、（ａ）はロック装置が作動している途中の状態を示す側面図であり、（ｂ）は平面図である。
【図１１】同、（ａ）はロック装置が作動した状態を示す側面図であり、（ｂ）は（ａ）のＸ−Ｘ線に添う断面図である。
【図１２】ロック装置と閉塞部材との連動機構の例を示す図であって、（ａ）はロック装置が作動する直前の状態を示す側面図であり、（ｂ）は平面図である。
【図１３】同、（ａ）はロック装置が作動している途中の状態を示す側面図であり、（ｂ）は平面図である。
【図１４】同、（ａ）はロック装置が作動した状態を示す側面図であり、（ｂ）は平面図である。
【図１５】安全ストッパを示す図であって、（ａ）は側面図、（ｂ）は底面図である。
【図１６】ロック部材を示す側面図である。
【図１７】安全ストッパとガイドレールの突起部との関係を示す正面図である。
【図１８】面格子を室内側の壁面に設置した実施の形態を示す図であって、建築物の開口部を示す縦断面図である。
【図１９】同、横断面図である。
【符号の説明】
【００６０】
Ｋ      建築物の開口部
１      縦すべり出し窓サッシ（窓サッシ）
２０    面格子
２１    ガイドレール
３２    パイプ（格子部材）
３６    ワイヤ（連結部材）
４１    ボックス（目隠し部）
Ｒ      ロック装置
６１    ロック部材
６５Ａ  第２の突出部
６５Ｂ  第１の突出部
６７    ストッパ
６９    引っ張りコイルばね（付勢部材）
７４    鍵
７５    係合解除部材
１１１  安全ストッパ
【図１】
2005273347.tif 000003
【図２】
2005273347.tif 000004
【図３】
2005273347.tif 000005
【図４】
2005273347.tif 000006
【図５】
2005273347.tif 000007
【図６】
2005273347.tif 000008
【図７】
2005273347.tif 000009
【図８】
2005273347.tif 000010
【図９】
2005273347.tif 000011
【図１０】
2005273347.tif 000012
【図１１】
2005273347.tif 000013
【図１２】
2005273347.tif 000014
【図１３】
2005273347.tif 000015
【図１４】
2005273347.tif 000016
【図１５】
2005273347.tif 000017
【図１６】
2005273347.tif 000018
【図１７】
2005273347.tif 000019
【図１８】
2005273347.tif 000020
【図１９】
2005273347.tif 000021